(57)【要約】【課題】  子供が操作つまみで補助ロック装置を簡単に解錠できないようにして、補助ロック装置の防犯性を向上する。【解決手段】  本発明の引き戸の補助ロック装置１は、ケーシング２と、互いに接近又は離反自在となるようにケーシング２に設けられた一対のロック片３，４と、この一対のロック片３，４を接近又は離反させるためにケーシングに回動自在に設けられた回動部材５と、この回動部材５に着脱自在に連結可能な操作つまみ６とを備えている。この操作つまみ６は、回動部材５に対して同軸心状に嵌合可能であり、自身の嵌合だけでは当該回動部材５に対して軸心回りに空転する第一つまみ１１と、回動部材５及び第一つまみ１１の双方に対して同軸心状にスプライン嵌合可能な第二つまみ１２とを有する。【選択図】図１
2010209670.tif 000002
【特許請求の範囲】
【請求項１】
ケーシングと、互いに接近又は離反自在となるように前記ケーシングに設けられた一対のロック片と、この一対のロック片を接近又は離反させるために前記ケーシングに回動自在に設けられた回動部材と、この回動部材に着脱自在に連結可能な操作つまみと、を備えている引き戸の補助ロック装置において、
前記操作つまみは、前記回動部材に対して同軸心状に嵌合可能であり、自身の嵌合だけでは当該回動部材に対して軸心回りに空転する第一つまみと、
前記回動部材及び前記第一つまみの双方に対して同軸心状にスプライン嵌合可能な第二つまみと、を有することを特徴とする引き戸の補助ロック装置。
【請求項２】
前記第一つまみ及び前記第二つまみは、両者を同軸心状に一体化した場合に意味が生じるデザインが施された化粧フランジ部を備えている請求項１に記載の引き戸の補助ロック装置。
【請求項３】
前記第一つまみの前記化粧フランジ部は花びら形状であり、前記第二つまみの前記化粧フランジ部は花心形状である請求項２に記載の引き戸の補助ロック装置。
【発明の詳細な説明】
【技術分野】
【０００１】  本発明は、本来の錠装置とは別に室内外の両引き戸を補助的にロックするための引き戸の補助ロック装置に関する。
【背景技術】
【０００２】  例えば、建物の窓部や玄関を構成する引き戸装置の一種であるアルミサッシは、戸枠に設けた内外二列のレールに室内外の引き戸を走行自在に設けることによって構成されている。これら室内外の引き戸の施錠は、一般に、両引き戸を閉鎖したときに戸枠の中央で重なり合う縦桟同士を、いわゆるクレセント錠で固定することによって行われる。
しかし、クレセント錠は、引き戸のガラスの一部を割って手を入れることで簡単に解錠される恐れがある。【０００３】  このため、引き戸装置の防犯性をより向上させるべく、本来の錠装置とは別に補助ロック装置を設けることがある。
かかる補助ロック装置として、室外側の引き戸の横桟に室内から当接する第一ロック片と、その引き戸が走行自在に嵌め込まれた戸枠に係合する第二ロック片と、これらのロック片がその間の相対間隔を変更できるように設けられているケーシングと、両ロック片の相対間隔を拡張又は縮小するための操作機構とを備えたものがある（例えば、特許文献１参照）。【０００４】  この補助ロック装置の操作機構は、第二ロック片をケーシングに対して相対移動させるべくケーシングに回動自在に設けられた円盤状の回動部材と、この回動部材の表面側に着脱自在に連結可能な操作つまみとから構成されている。
かかる従来の補助ロック装置で引き戸をロックするには、両ロック片を室外側の引き戸と戸枠の間に嵌め込んだ状態でケーシングを窓枠にセットしたあと、第二ロック片を第一ロック片から離反させる方向に操作つまみを回動操作する。【０００５】  すると、室外側の引き戸が第一ロック片に押圧されて開かないようになるとともに、室内側の引き戸はケーシングそのものが邪魔になって開かないようになり、室内外の両引き戸がロックされることになる。
【先行技術文献】
【特許文献】
【０００６】
【特許文献１】  実公平７−１２５９６号公報
【発明の概要】
【発明が解決しようとする課題】
【０００７】  上記従来の補助ロック装置では、操作つまみが、回動部材の表面側に形成された係合凹部に嵌合するボス部と、このボス部に一体に連結されたつまみ片とからなる単一部材で構成されているので、操作つまみさえあれば幼児等の小さな子供でも、室内側において簡単に補助ロック装置の回動部材を回動操作することができる。
従って、従来の補助ロック装置では、ユーザが折角施錠した補助ロック装置を、子供の悪戯で簡単に解錠することができ、この点で防犯性に欠けるという欠点があった。【０００８】  そこで、本発明の課題は、子供が操作つまみで補助ロック装置を簡単に解錠できないようにして、補助ロック装置の防犯性を向上する点にある。
【課題を解決するための手段】
【００９】  本発明は、上記課題を解決するために次の解決手段を採用した。
すなわち、本発明は、上記引き戸の補助ロック装置において、前記操作つまみは、前記回動部材に対して同軸心状に嵌合可能であり、自身の嵌合だけでは当該回動部材に対して軸心回りに空転する第一つまみと、前記回動部材及び前記第一つまみの双方に対して同軸心状にスプライン嵌合可能な第二つまみと、を有することを特徴とする。【００１０】  本発明の補助ロック装置によれば、操作つまみが単一部材ではなく、上記第一及び第二つまみにより構成されており、第一つまみは、自身の嵌合だけでは回動部材に対して軸心回りに空転するようになっており、第二つまみは、回動部材と第一つまみの双方に対して同軸心状にスプライン嵌合可能になっている。
このため、第一つまみだけでは回動部材を回動させることができず、第一つまみに第二つまみをスプライン嵌合させないと、回動部材を回動操作するための操作つまみとしては機能しない。【００１１】  従って、ユーザが第一つまみと第二つまみを分離して保管管理しておくことにより、例えば幼児等の小さい子供が悪戯で第一つまみや第二つまみを勝手に持ち出しても、補助ロック装置を簡単に解錠することができなくなり、補助ロック装置の防犯性が向上する。【００１２】  本発明の補助ロック装置において、前記第一つまみ及び前記第二つまみは、両者を同軸心状に一体化した場合に意味が生じるデザインが施された化粧フランジ部を備えていることが好ましい。
この場合、両つまみの化粧フランジ部によって複雑なデザインを再現することができ、単一部材の操作つまみの場合に比べて、デザイン性に優れた補助ロック装置を製作することができる。【００１３】  例えば、前記第一つまみの前記化粧フランジ部が花びら形状とし、前記第二つまみの前記化粧フランジ部が花心形状とした場合、両つまみを一体化した場合に、複雑でかつデザイン性に優れた花模様の操作つまみを得ることができる。
【発明の効果】
【００１４】  以上の通り、本発明によれば、子供が悪戯で操作つまみの一部を勝手に持ち出しても、補助ロック装置を簡単には解錠することができないので、補助ロック装置の防犯性が向上する。
【図面の簡単な説明】
【００１５】
【図１】  本発明の実施形態に係る補助ロック装置の斜視図である。
【図２】  （ａ）は第一つまみの平面図、（ｂ）は第一つまみの側面断面図、（ｃ）は第二つまみの平面図、（ｄ）は第二つまみの側面図である。
【図３】  補助ロック装置の使用状態を示す窓枠下部の縦断面図である。
【発明を実施するための形態】
【００１６】  以下、図面を参照しつつ、本発明の実施形態を説明する。
図１は、本発明の実施形態に係る補助ロック装置１を示している。
図１に示すように、本実施形態の補助ロック装置１は、鋼材等の金属材料を平面視ほぼ四角形に形成してなるケーシング２と、このケーシング２の先端部に突設された第一ロック片３と、この第一ロック片３に対して接近離反自在となるようにケーシング２に設けられた第二ロック片４と、この第二ロック片４を移動させるための回動部材５と、この回動部材５を回動操作するための操作つまみ６とを備えている。
【００１７】  第一及び第二ロック片３，４は、いずれもケーシング２の幅寸法にほぼ相当する長さを有する板材よりなり、ケーシング２の裏面側（図１の下側）において互いに平行となるように同裏面側に突出して配置されている。
本実施形態では、上記第一及び第二ロック片３，４のうち、第一ロック片３の当接面側（図１の左側）に、ゴムパッド等よりなる弾性板材７が貼り付けられ、第二ロック片４の当接面側（図１の右側）にも、ゴムパッド等よりなる弾性板材８が貼り付けられている。
【００１８】  ケーシング２の表面側（図１の上側）には、円形の開口が形成され、この開口内に円板状の前記回動部材５が回動自在に収納されている。
この回動部材５は、上下方向の軸心回りに回動自在な短筒状に形成されており、後述する第二つまみ１２の先端スプライン部１８が嵌合するスプライン孔９を中央部に有している。
【００１９】  ケーシング２の内部には、ケーシング２の長手方向に移動する、第二ロック片４が突設されたスイドプレート（図示せず。）が設けられており、回動部材５の回動運動がこのスライドプレートの並進運動に変換されるようになっている。
従って、操作つまみ６によって回動部材５を回動操作すると、スライドプレートとその裏面側の第二ロック片４がケーシング２の長手方向に移動し、第二ロック片４の第一ロック片３に対する相対間隔を拡張又は縮小できるようになっている。
【００２０】  図１及び図２に示すように、本実施形態の操作つまみ６は、いずれも硬質プラスチック等の合成樹脂製である、第一つまみ１１と第二つまみ１２との２つの部材から構成されている。
このうち、第一つまみ１１は、短円筒状の筒体部１３と、この筒体部１３の上端部から径外方向に一体に突設された化粧フランジ部１４とを有し、筒体部１３の内周径は前記回動部材５の外周径にほぼ等しい。
【００２１】  従って、第一つまみ１１の筒体部１３は、回動部材５に同軸心状に外嵌することができるが、このさい、自身の嵌合だけでは当該回動部材５に対して軸心回りに空転するようになっている。また、第一つまみ１１の筒体部１３の上端開口部には、後述する第二つまみ１２の中間スプライン部１９が嵌合するスプライン孔１５が形成されている。
一方、第二つまみ１２は、スプライン軸よりなる軸体部１６と、この軸体部１６の上端部から一体に突設された化粧フランジ部１７とを有している。
【００２２】  上記軸体部１６の先端部には、回動部材５のスプライン孔９にスプライン嵌合する先端スプライン部１８が形成され、軸体部１６の軸方向中途部には、前記第一つまみ１１のスプライン孔１５にスプライン嵌合する中間スプライン部１９が形成されている。
第二つまみ１２の化粧フランジ部１７は、第一つまみ１１のスプライン孔１５よりも大径になっており、第二つまみ１２の中間スプライン部１９をスプライン孔１５に嵌合したときに、当該第二つまみ１２が下方に抜けないための抜け止め機能を有する。
【００２３】  図２に示すように、第一つまみ１１の化粧フランジ部１４は、表裏方向に貫通する複数のスリット２０を放射状に配列することにより、ほぼ花びら形状に成型されている。また、第二つまみ１２の化粧フランジ部１７は、上方に向かうに従って次第に径外方向に湾曲する、ほぼ花心形状に成型されている。
従って、第二つまみ１２を第一つまみ１１の内部に挿通してこれらを同軸心状に一体化すると、上記両化粧フランジ部１４，１７により、花心と花びらとからなる１つの花が組み立てられる。
【００２４】  次に、図３を参照しつつ、上記構成に係る補助ロック装置１の使用方法及び作用を説明する。
本実施形態の補助ロック装置１を使用するには、まず、第一つまみ１１と第二つまみ１２を同軸心状に一体化させて操作つまみ６を構成しておき、この操作つまみ６の先端部を回動部材５に連結する。
【００２５】  このさい、第二つまみ１２の中間スプライン部１９が第一つまみ１１のスプライン孔１５に嵌合することで、両つまみ１１，１２は相対回動不能である。また、第二つまみ１２の先端スプライン部１８が回動部材５のスプライン孔９に嵌合するので、第二つまみ１２は回動部材５と相対回動不能である。
従って、第一つまみ１１は、第二つまみ１２を介して回動部材５と相対回動不能に連結されることになり、大径の第二つまみ１２の化粧フランジ部１４を指で回すことによって、回動部材５を回動操作することができる。
【００２６】  そして、上記のようにして一体化された操作つまみ６により、第二ロック片４を第一ロック片３に対してできるだけ近づける方向に回動部材５を回動させ、両ロック片３，４を室外側の引き戸３３と戸枠３４の室内段差３５の間に嵌め込んだ状態でケーシング２を窓枠の下部にセットする。
その後、第二ロック片４が第一ロック片３から離れる方向に操作つまみ６を回動すると、図３に示すように、第二ロック片４が弾性板材８を介して室内段差３５を押圧し、かつ、第一ロック片３が弾性板材７を介して室外側の引き戸３３の横桟３６を押圧する。
【００２７】  これにより、室外側の引き戸３３が開かないようになるとともに、室内側の引き戸３７はケーシング２そのものが邪魔になって開かないようになり、室内外の両引き戸３７，３３が同時にロックされることになる。
なお、上記のようにして補助ロック装置１をロックしたあとは、操作つまみ６を回動部材５から取り外し、そのつまみ６をユーザが管理する所定の保管場所に仕舞っておけばよい。
【００２８】  上記の通り、本実施形態の操作つまみ６は、第一つまみ１１と第二つまみ１２とから内外二重軸構造になっており、しかも、第一つまみ１１は、自身の嵌合だけでは回動部材５に対して軸心回りに空転し、第二つまみ１２は、回動部材５と第一つまみ１１の双方に対して同軸心状にスプライン嵌合可能になっている。
このため、第一つまみ１１だけでは回動部材５を回動できず、第一つまみ１１に第二つまみ１２をスプライン嵌合させないと、回動部材５を回動操作するための操作つまみ６としては機能しない。
【００２９】  従って、本実施形態の補助ロック装置１によれば、ユーザが第一つまみ１１と第二つまみ１２を分離して保管管理しておくことにより、例えば幼児等の小さい子供が悪戯で第一つまみ１１や第二つまみ１２を勝手に持ち出しても、補助ロック装置１を簡単に解錠することができなくなり、補助ロック装置１の防犯性が向上する。
【００３０】  なお、第二つまみ１２は、回動部材５にスプライン嵌合するので、第二つまみ１２に大きなトルクを作用させれば、それ単体で回動部材５を回動操作できる。
しかし、第二つまみ１２の化粧フランジ部１４の外径を十分に小さくしておけば、手指の力では第二つまみ１２に十分なトルクを発生させることができず、幼児等の子供が第二つまみ１２で回動部材５を解錠方向に回動することを不能にできる。
【００３１】  また、本実施形態の操作つまみ６によれば、第一つまみ１１と第二つまみ１２が、両者を同軸心状に一体化した場合に意味が生じるデザイン（本実施形態では１つの花）が施された化粧フランジ部１４，１７を備えているので、この両つまみ１１，１２の化粧フランジ部１４，１７によって複雑なデザインを再現することができ、単一部材の操作つまみの場合に比べて、デザイン性に優れた補助ロック装置１を製作することができる。
【００３２】  なお、本発明は上記実施形態に限定されるものではない。
例えば、第一ロック片３及び第二ロック片４はその間の相対間隔を変更できるようにケーシング２に設けられておれば足り、前者をケーシング２に対して移動させかつ後者をケーシング２に固定してもよいし、両者ともケーシング２に対して移動させてもよい。
また、図３に示す使用例では、補助ロック装置１を窓枠の下部にセットした場合を例示しているが、同装置１を窓枠の上部にもセットすることができる。
【符号の説明】
【００３３】  １      補助ロック装置
２      ケーシング
３      第一ロック片
４      第二ロック片
５      回動部材
６      操作つまみ
１１      第一つまみ
１２      第二つまみ
１４      化粧フランジ部
１７      化粧フランジ部
【図１】
2010209670.tif 000003
【図２】
2010209670.tif 000004
【図３】
2010209670.tif 000005